(57)【要約】【課題】パチンコ玉揚送研磨装置用研磨布の交換を効率良く安全かつ容易に行えるようにする。【解決手段】下端ローラ１４ａと上端ローラ１４ｂとの間に巻き掛けられる無端の搬送ベルト１５を有する揚送機本体１０に、ヒンジ４４を介して扉板２０が開閉自在に取り付けられる。扉板２０には、その内面に沿って搬送ベルト１５の上昇側の表面に対向する帯状の研磨布３０が設けられる。研磨布３０は、所定の長さを有する帯状の研磨布本体３１の長さ方向端部に設けられる連結手段３２を有し、その連結手段３２を介して２つの研磨布本体３１，３１が連結可能とされる。そして、研磨布３０を汚損した研磨布３０Ａから清浄な研磨布３０Ｂに交換する時、その両者３０Ａ，３０Ｂの一端部同士を連結手段３２，３２で連結し、そのあと研磨布３０Ａの他の一端部を引張って、研磨布３０Ａを搬送ベルト１５に対向する位置より排除しながら、研磨布３０Ｂを前記位置に誘導する。【選択図】図６
2009297225.tif 000002
【特許請求の範囲】
【請求項１】
下端ローラと上端ローラとの間に巻き掛けられる無端の搬送ベルトを有する揚送機本体に、ヒンジを介して扉板が開閉自在に取り付けられると共に、その扉板の内面に沿って前記搬送ベルトの上昇側の表面に対向する帯状の研磨布が設けられ、その研磨布と前記搬送ベルトとによりパチンコ玉が挟まれて揚送されるようにしたパチンコ玉揚送研磨装置において、
前記研磨布は、所定の長さを有する帯状の研磨布本体の長さ方向端部に設けられる連結手段を有し、その連結手段を介して前記研磨布本体の２つが相互に連結可能とされていることを特徴とするパチンコ玉揚送研磨装置。
【請求項２】
下端ローラと上端ローラとの間に巻き掛けられる無端の搬送ベルトの上昇側の表面に対向して、その搬送ベルトとの間に挟まれるパチンコ玉を研磨する研磨布であり、
所定の長さを有する帯状の研磨布本体の長さ方向端部に連結手段が設けられ、その連結手段を介して前記研磨布本体の２つが相互に連結可能とされていることを特徴とするパチンコ玉揚送研磨装置用研磨布。
【請求項３】
前記連結手段は、マジックテープ（登録商標）、ファスナ、又はスナップである請求項２記載のパチンコ玉揚送研磨装置用研磨布。
【請求項４】
下端ローラと上端ローラとの間に巻き掛けられる無端の搬送ベルトの上昇側の表面に対向して、その搬送ベルトとの間に挟まれるパチンコ玉を研磨する研磨布を、使用により汚損した第１の研磨布から清浄な第２の研磨布に交換する方法であり、
前記第１の研磨布および第２の研磨布の長さ方向端部に予めその両者を連結可能な連結手段を設けておき、その連結手段により前記第１の研磨布と第２の研磨布との一端部同士を連結した後、前記第１の研磨布の他の一端部を引張って、当該第１の研磨布を前記搬送ベルトの上昇側の表面に対向する位置より排除しながら、前記第２の研磨布を前記位置に誘導することを特徴とするパチンコ玉揚送研磨装置用研磨布の交換方法。
【発明の詳細な説明】
【技術分野】
【０００１】
本発明は、パチンコ島内などに設置してパチンコ遊技機で使用されるパチンコ玉を揚送しながら研磨するパチンコ玉揚送研磨装置と、同装置に用いられる研磨布、ならびに同研磨布の交換方法に関する。
【背景技術】
【０００２】
一般に、パチンコ遊技場では、パチンコ島と呼ばれる構造物に複数の遊技機を並列状に装置し、各遊技機で使用されたパチンコ玉をパチンコ島内の下方中央部に集積し、これを揚送研磨装置により揚送しながら研磨してパチンコ島の上部から各遊技機に分配するといった循環系を構成している。
【０００３】
揚送研磨装置には種々の形式があるが、その主流は下端ローラと上端ローラとの間に巻き掛けられる無端の搬送ベルトを内蔵する揚送機本体に開閉自在な扉板を取り付け、その扉板の内面に沿って搬送ベルトの上昇側の表面に対向する帯状の研磨布を設け、その研磨布と搬送ベルトによりパチンコ玉を挟んで揚送しながら研磨する構造形式とされる。
【０００４】
尚、研磨布は、扉板の上下両端から外部に引き出され、扉板の外側上下に設けられる固定金具によりテンションを付与した状態で固定されるが、当該研磨布はパチンコ玉との接触により汚損するので定期的な交換を必要とする。
【０００５】
その交換作業は、先ず汚損した既設の研磨布を取り外し、次いで新たな研磨布を扉板の内面に沿って引き上げ、その先端を扉板の上端で外側に折り返して引き下げた後、その研磨布を扉板の外側上下に設けられる固定金具で固定するようにしている。
【０００６】
しかし、上記のような作業は、揚送研磨装置をパチンコ島内に設置した状態のまま行われるので狭所での無理な姿勢を強いられ、しかも扉板が相当の高さを有するために高所で不安定な姿勢のまま作業を行わざるを得ないことが多い。このため、係る作業は思いのほか難儀で、高所から転落する危険を伴い、しかも揚送研磨装置一台の研磨布を交換するのに多くの時間を費やしてしまうという問題があった。
【０００７】
そこで、汚損した研磨布を取り外した後、新たな研磨布の先端にウェイトを取り付け、そのウェイトの重量を利用して新研磨布を扉板の上方からその内面に沿って引き下げるという方法が提案されている（例えば、特許文献１）。
【０００８】
【特許文献１】特開２００３−２３６２１５号公報
【発明の開示】
【発明が解決しようとする課題】
【０００９】
しかしながら、特許文献１に開示される方法でも、汚損した研磨布の取り外し、ならびにウェイトの降下に際し、脚立などを利用して扉板の上端位置まで上がっての高所作業を余儀なくされる。このため、作業効率の大幅な改善は見込めず、且つ安全性の向上も図れない。特に、ウェイトを作業中に誤って落下させ、パチンコ島を破壊してしまったり作業者が怪我をしてしまったりする危険性が高い。
【００１０】
本発明は以上のような事情に鑑みて成されたものであり、その目的はパチンコ玉揚送研磨装置用研磨布の交換を、危険を伴わずに効率良く容易に行えるようにすることにある。
【課題を解決するための手段】
【００１１】
本発明は上記目的を達成するため、下端ローラと上端ローラとの間に巻き掛けられる無端の搬送ベルトを有する揚送機本体に、ヒンジを介して扉板が開閉自在に取り付けられると共に、その扉板の内面に沿って前記搬送ベルトの上昇側の表面に対向する帯状の研磨布が設けられ、その研磨布と前記搬送ベルトとによりパチンコ玉が挟まれて揚送されるようにしたパチンコ玉揚送研磨装置において、
前記研磨布は、所定の長さを有する帯状の研磨布本体の長さ方向端部に設けられる連結手段を有し、その連結手段を介して前記研磨布本体の２つが相互に連結可能とされていることを特徴とするパチンコ玉揚送研磨装置を提供する。
【００１２】
又、下端ローラと上端ローラとの間に巻き掛けられる無端の搬送ベルトの上昇側の表面に対向して、その搬送ベルトとの間に挟まれるパチンコ玉を研磨する研磨布であり、
所定の長さを有する帯状の研磨布本体の長さ方向端部に連結手段が設けられ、その連結手段を介して前記研磨布本体の２つが相互に連結可能とされていることを特徴とするパチンコ玉揚送研磨装置用研磨布を提供する。
【００１３】
更に、下端ローラと上端ローラとの間に巻き掛けられる無端の搬送ベルトの上昇側の表面に対向して、その搬送ベルトとの間に挟まれるパチンコ玉を研磨する研磨布を、使用により汚損した第１の研磨布から清浄な第２の研磨布に交換する方法であり、
前記第１の研磨布および第２の研磨布の長さ方向端部に予めその両者を連結可能な連結手段を設けておき、その連結手段により前記第１の研磨布と第２の研磨布との一端部同士を連結した後、前記第１の研磨布の他の一端部を引張って、当該第１の研磨布を前記搬送ベルトの上昇側の表面に対向する位置より排除しながら、前記第２の研磨布を前記位置に誘導することを特徴とするパチンコ玉揚送研磨装置用研磨布の交換方法を提供する。
【００１４】
尚、連結手段としては、マジックテープ（登録商標）、ファスナ、又はスナップを好適に用いることができる。
【発明の効果】
【００１５】
本発明に係る装置および研磨布によれば、帯状の研磨布本体の長さ方向端部に連結手段が設けられ、その連結手段を介して２つの研磨布本体が相互に連結可能とされていることから、汚損した研磨布に清浄な研磨布を連結して、汚損した研磨布を所定の配置位置から引き出しながら、清浄な研磨布を汚損した研磨布に続けて所定の配置位置に移送することができる。このため、高所に上がらずして研磨布の交換を安全に、且つ効率よく容易に行うことが可能となる。
【００１６】
加えて、連結手段としてマジックテープ（登録商標）、ファスナ、又はスナップが用いられることから簡易構造にして実用化が容易であり、しかも研磨布同士の連結、切離しも容易に行うことができる。
【００１７】
又、本発明に係る方法によれば、汚損した研磨布と清浄な研磨布との一端部同士を両者の各一旦部に設けられた連結手段により連結した後、汚損した研磨布の他の一端部を引張って、当該研磨布を搬送ベルトの上昇側の表面に対向する位置より排除しながら、清浄な研磨布を前記位置に誘導するようにしていることから、研磨布の交換を脚立などを使用せずして安全かつ効率的に行えるという優れた効果が得られる。
【発明を実施するための最良の形態】
【００１８】
以下、本発明を図面に基づいて詳しく説明する。先ず、図１にパチンコ島の構成例を示す。図１において、１は横長構造のパチンコ島であり、このパチンコ島１にはパチンコ玉を貸し出す玉貸機２を介して複数のパチンコ遊技機３が並列状に配備されている。又、パチンコ島１の内部中央には本発明に係るパチンコ玉揚送研磨装置Ａが直立状に設けられ、その揚送研磨装置Ａを基準として、各遊技機３の下側に傾斜状を成す左右一対の回収路４が設けられると共に、各遊技機３の上側に傾斜状を成す左右一対の補給路５が設けられている。
【００１９】
そして、各遊技機３からアウト玉として排出されたパチンコ玉が回収路４を通じてパチンコ島１の下部中央に集められ、これが揚送研磨装置Ａにより揚送されつつ研磨されて上部タンク６に集積され、その上部タンク６から補給路５を通じて各遊技機３に分配される構成となっている。
【００２０】
図２は、パチンコ玉揚送研磨装置Ａを示した側面図である。図２において、１０はパチンコ玉揚送研磨装置Ａを構成する揚送機本体であり、この揚送機本体１０は基台１１上に縦長のフレーム１２を直立状に固設すると共に、該フレーム１２の上端に吐出ヘッド１３を固設するなどして構成され、その内部には下端ローラ１４ａと上端ローラ１４ｂとの間に巻き掛けた搬送ベルト１５（図２において点線で示される）が設けられている。
【００２１】
基台１１はパチンコ玉を受け入れる受口１１ａを有し、その内部には受口１１ａから流入したパチンコ玉を搬送ベルト１５と後述する研磨布との間に誘導する入口ガイド１６ａが設けられている。尚、入口ガイド１６ａは下端ローラ１４ａに沿って湾曲している。
【００２２】
下端ローラ１４ａは、駆動ローラとして基台１１内に回転自在に設けられており、その回転軸にはプーリＰ１が取り付けられている。１７は下端ローラ１４ａを回転駆動して搬送ベルト１５を上下方向に周回駆動する駆動源（電動モータ）であり、その駆動軸にはプーリＰ２が取り付けられ、そのプーリＰ２と上記プーリＰ１との間に伝動ベルト１８が巻き掛けられている。
【００２３】
一方、吐出ヘッド１３は、パチンコ玉を放出する吐出口１３ａを有し、その内部にはパチンコ玉を吐出口１３ａに向けて誘導する出口ガイド１６ｂが設けられている。尚、出口ガイド１６ｂは上端ローラ１４ｂに沿って湾曲している。
【００２４】
ここで、揚送機本体１０を構成するフレーム１２には所定のピッチで複数の圧接ローラ１９が回転自在に取り付けられ、その各圧接ローラ１９が搬送ベルト１５の上昇側（図２の右側）の内面に転がり接触する構成とされている。又、フレーム１２には、搬送ベルト１５の上昇側においてフレーム１２と略同じ長さを有する帯状の扉板２０が開閉自在に取り付けられ、その内面に沿って搬送ベルト１５の上昇側の表面に対向する研磨布３０が設けられる構成とされている。
【００２５】
研磨布３０は、扉板２０よりも長い全長を有する帯状であり、その両端部は図２のように扉板２０の上下両端より外部に引き出されて扉板２０の外面側に固定される。４１，４２は研磨布３０を固定するべく扉板２０の外面に設けた上下一対の固定金具であり、その両固定金具４１，４２と扉板２０の外面との間に研磨布３０が挟まれて保持されるようになっている。又、図２において、４３は扉板２０の外面側上端に設けたガイドローラであり、このガイドローラ４３を介して研磨布３０が下方に折り返される構成とされている。
【００２６】
尚、研磨布３０はロール状に巻かれて使用される長尺のものでもよいが、そのような長尺物では扉板２０の長さ分ずつ引き出して交換頻度を減らせるという効果が得られるものの、使用後の洗濯が困難となる。よって、研磨布３０の長さは、固定金具４１，４２による固定部分を加えて扉板２０の全長の１．２〜２倍程度（３〜４ｍ）であることが好ましい。
【００２７】
図３は、扉板２０を開放した状態を示す正面図である。この図で明らかなように、研磨布３０は搬送ベルト１５と同じか、それよりも大きな幅を有している。又、図３から明らかなように、扉板２０の一端縁には所定の間隔で複数のロックピン２０ａが設けられ、揚送機本体１０のフレーム１２にはロックピン２０ａに対応する位置に掛け金１０ａが設けられている。そして、ロックピン２０ａに掛け金１０ａを係止することにより、扉板２０が閉鎖位置（扉板２０の内面に沿う研磨布３０が搬送ベルト１５の上昇側の表面に対向する位置）に保持されるようになっている。
【００２８】
次に、図４は図２のＸ−Ｘ拡大断面を示す。この図で明らかなように、扉板２０はその一端縁がヒンジ４４を介してフレーム１２に取り付けられ、そのヒンジ４４により扉板２０の開閉動作が可能とされている。尚、図４には上記ロックピン２０ａに掛け金１０ａが係止して扉板２０が上記閉鎖位置に保持されている状態が示される。
【００２９】
又、図４から明らかなように、扉板２０はコ字形の外装板２１内にガイドプレート２２を設けて構成される。ガイドプレート２２は、その長さ方向に沿って半円状の断面を有するガイド溝２２ａを複数条（図示例において７条）並列に形成した帯板であり、その各ガイド溝２２ａに研磨布３０を介してパチンコ玉Ｓが嵌まり込み、それらパチンコ玉Ｓが研磨布３０と搬送ベルト１５（図４の右側に示される上昇側の表面）との間に挟まれて揚送されながら、研磨布３０に転がり接触して研磨されるようになっている。尚、図４において、２３は外装板２１の内側両側面に固着した断面コ字形のサイドガードであり、その両サイドガード２３，２３により研磨布３０の片寄りが防止されている。
【００３０】
次に、図５に研磨布３０を示す。図５で明らかなように、研磨布３０は所定の長さを有する帯状の研磨布本体３１を基材とし、その長さ方向両端部に連結手段３２を設けて構成される。尚、研磨布本体３１には織布もしくは不織布が用いられる。又、本例において、連結手段３２は、着脱自在に係合する雄雌一対のテープ片３２ａ，３２ｂから成るマジックテープ（登録商標）であり、その一方のテープ片３２ａが研磨布本体３１の一端部に逢着され、他方のテープ片３２ｂが研磨布本体３１の他の一端部に逢着されている。特に、研磨布３０は上記のような構成を有する同一のものが交換用として多数取り揃えられ、パチンコ店の営業終了後にその交換が行われる。
【００３１】
ここで、図６を基に研磨布３０の交換方法について説明する。尚、研磨布３０は上記のように全て同一の構成とされるが、図６には便宜上、使用により汚損した研磨布を第１の研磨布として符号３０Ａで示し、これに換える清浄な研磨布を第２の研磨布として符号３０Ｂで示す。
【００３２】
先ず、交換作業に際して扉板２０を開放すると共に、固定金具４１，４２による研磨布３０Ａの固定を解除する。又、これに前後して研磨布３０Ａ，３０Ｂの一端部同士をその各一端部に設けられた連結手段（テープ片３２ａ，３２ｂ）を介して連結する。そして、その状態で研磨布３０Ａの他の一端部（図示例において上部側の一端部）を引張って当該研磨布３０Ａを手元に手繰り寄せる。すると、研磨布３０Ａが搬送ベルト１５（図６では省略）の上昇側の表面に対向する位置（扉板２０の内面側）から排除されながら、後続する研磨布３０Ｂが扉板２０の内面に沿って進行し、当該研磨布３０Ｂが搬送ベルト１５の上昇側の表面に対向する位置（この段階では扉板２０が開放されたままなので研磨布３０Ｂは搬送ベルト１５の上昇側の表面とは未だ対向していない）に誘導されることになる。
【００３３】
しかして、研磨布３０Ａ，３０Ｂの連結部分が上部側の固定金具４１の位置を越えたら、研磨布３０Ｂの下部側の一端部をこれに対応する下部側の固定金具４２により固定し、次いで研磨布３０Ｂの上部側の一端部を引張って当該研磨布３０Ｂにテンションを与えながら、その上部側の一端部を固定金具４１により固定した後、研磨布３０Ａを切離して扉板２０を閉鎖する。
【００３４】
尚、研磨布３０Ａは上記のような交換作業終了後に洗濯により清浄化され、次の交換作業に際して研磨布３０Ｂとして用いられる。
【００３５】
以上、本発明の適用例を説明したが、研磨布３０Ａ，３０Ｂの交換に際して研磨布３０Ｂの一端部を研磨布３０Ａの上部側の一端部に連結し、研磨布３０Ａの下部側の一端部を引張るようにしてもよい。
【００３６】
又、上記例では研磨布本体３１の両端に連結手段３２を設ける構成としたが、その連結手段３２を研磨布本体３１の一端部のみに設ける構成としてもよい。但し、この場合には、図７に示すように連結手段３２として例えば上記のようなテープ片３２ａ，３２ｂを近接して設けることが望ましい。つまり、一端部にテープ片３２ａ，３２ｂのいずれか一方のみが設けられる構成では、テープ片３２ａを有する研磨布とテープ片３２ｂを有する研磨布とを分けて保管し、その両者を交互に使用するようにしなければならないのに対し、研磨布本体３１の一端部にテープ片３２ａ，３２ｂを近接して設けた研磨布では、全ての研磨布を同一構造にして、これを区別なく一箇所にまとめて保管しながら、交換に際して２つの研磨布本体の一端部同士を連結することができる。尚、研磨布本体３１の一端部のみに連結手段３２を設ける構成の研磨布では、その連結手段３２の位置が交換の度に上下交互に切り替わるようになる。よって、汚損した研磨布の下端部に清浄な研磨布の一端部を連結して交換を行った場合、次の交換時には汚損した研磨布の上端部に清浄な研磨布の一端部を連結して交換を行うことになる。
【００３７】
又、上記例では連結手段として、マジックテープ（登録商標）を用いたが、係る連結手段として図８(a)のように研磨布本体３１の長さ方向端部（一端部もしくは両端部）にファスナ３３を設けたり、あるいは図８(b)ように雄雌一対のホック部材３４ａ，３４ｂからなるスナップ３４（押しホック）を設けたりしてもよい。
【００３８】
要するに、連結手段はマジックテープ（登録商標）に限らず、２つの研磨布の一端部同士を着脱自在に連結できるものであればよい。
【図面の簡単な説明】
【００３９】
【図１】本発明に係るパチンコ玉揚送研磨装置を設置したパチンコ島を示す正面概略図
【図２】本発明に係るパチンコ玉揚送研磨装置の側面図
【図３】同揚送研磨装置の正面図（扉板を開放した状態）
【図４】図２のＸ−Ｘ拡大断面図
【図５】本発明に係る研磨布を部分的に破断して示した斜視図
【図６】研磨布の交換時の態様を示す説明図
【図７】研磨布の変更例を示す部分拡大図
【図８】連結手段の変更例を示す説明図
【符号の説明】
【００４０】
Ａ  パチンコ玉揚送研磨装置
１  パチンコ島
１０  揚送機本体
１４ａ  下端ローラ
１４ｂ  上端ローラ
１５  搬送ベルト
２０  扉板
３０  研磨布
３１  研磨布本体
３２  連結手段（マジックテープ（登録商標））
３２ａ，３２ｂ  テープ片
３３  ファスナ（連結手段）
３４  スナップ（連結手段）
【図１】
2009297225.tif 000003
【図２】
2009297225.tif 000004
【図３】
2009297225.tif 000005
【図４】
2009297225.tif 000006
【図５】
2009297225.tif 000007
【図６】
2009297225.tif 000008
【図７】
2009297225.tif 000009
【図８】
2009297225.tif 000010